(57)【要約】【課題】従来の欠点を解消する複数撓み性傾斜コイルバネ及び関連方法を提供することである。【解決手段】複数撓み性傾斜コイルバネ１００が、相互連結した複数のコイルあるいは相互連結され中心線ＣＬを有する複数のコイル１０２を含み、各コイルは中心線ＣＬに直交する力を付加すると第１の前選択傾斜角度ａ及び第２の前選択傾斜角度ｂに沿って傾斜し、第１の前選択傾斜角度ａより小さい傾斜角度ａ’及び第２の前選択傾斜角度ｂより小さい傾斜角度ｂ’を創出し得る。【選択図】図１Ｂ
2015180830.tif 000002
【特許請求の範囲】
【請求項１】
傾斜コイルバネであって、離間関係下に相互連結され且つ傾斜コイルバネのセンターラインに関して第１及び第２の前選択傾斜角度で配置した複数のコイルバネを含み、前記相互連結された複数のコイルバネの各バネが、前記センターラインに対して本来直交する少なくとも２つの異なる方向に撓み得る傾斜コイルバネ。
【請求項２】
前記複数のコイルは相互に無関係に少なくとも２つの方向に撓み得る請求項１に記載の傾斜コイルバネ。
【請求項３】
２つの端部が連結されてバネリングを形成する請求項１に記載の傾斜コイルバネ。
【請求項４】
前記複数のコイルの少なくとも１つのコイルが楕円形状を有する請求項１に記載の傾斜コイルバネ。
【請求項５】
第１前選択傾斜角度が約３５°〜約８９°の間である請求項１に記載の傾斜コイルバネ。
【請求項６】
少なくとも１つのコイルの少なくとも一部が、センターラインに対して第２前選択傾斜角度に配置される角度で屈曲する請求項１に記載の傾斜コイルバネ。
【請求項７】
複数のコイルの傾斜角度がセンターラインに関して交互する請求項１に記載の傾斜コイルバネ。
【請求項８】
楕円形状を有する少なくとも１つのコイルが、撓み方向を示す長軸及び短軸を有する請求項４に記載の傾斜コイルバネ。
【請求項９】
電磁干渉シールド及び設置用途におけるハウジング溝を有するハウジングを更に含む請求項１に記載の傾斜コイルバネ。
【請求項１０】
複数のコイルの少なくとも１つのコイルが矩形形状あるいは四角形状を有する請求項１に記載の傾斜コイルバネ。
【請求項１１】
複数のコイルの少なくとも１つのコイルが多角形状を有する請求項１に記載の傾斜コイルバネ。
【請求項１２】
複数のコイルの少なくとも１つのコイルが三角形状を有する請求項１に記載の傾斜コイルバネ。
【請求項１３】
隣り合う少なくとも２つのコイルが何れも矩形形状を有し、矩形形状のコイルの一方が、矩形形状の他方のコイルに関して９０°回転したものである請求項１に記載の傾斜コイルバネ。
【請求項１４】
コネクタアセンブリであって、第２胴部が第１胴部に挿入される第１胴部及び第２胴部を含み、
第１胴部あるいは第２胴部の少なくとも一方が、少なくとも１つのバネ溝内に組み込んだ少なくとも１つの傾斜コイルバネを含み、
前記傾斜コイルバネが、離間関係下に傾斜コイルバネのセンターラインに関して前選択傾斜角度で配置され、且つ、相互連結された複数のコイルバネを含み、
前記相互連結された複数のコイルバネの各バネが、前記センターラインに対して本来直交する少なくとも２つの異なる方向に撓み得るコネクタアセンブリ。
【請求項１５】
傾斜コイルバネがバネ溝内に拘束される請求項１４に記載のコネクタアセンブリ。
【請求項１６】
バネ溝が２つの側壁と、前記２つの側壁間に位置付けた底壁とを含む請求項１４に記載のコネクタアセンブリ。
【請求項１７】
複数のコイルの少なくとも５つのコイルが、前記傾斜コイルバネのセンターラインに関して第２前選択傾斜角度を形成する曲げセクションを有し、前記第２前選択傾斜角度が、傾斜コイルバネのセンターラインに関する第１前選択傾斜角度とは異なる請求項１４に記載のコネクタアセンブリ。
【請求項１８】
シールアセンブリであって、
シール部品及びバネ付勢体を含み、
シール部品が、外側フランジ、シールリップを含む内側フランジ、前記内外の各フランジ間に位置付けられ、且つ、相互にバネキャビティを画定する中央チャネルセクションを含み、
バネ付勢体がバネキャビティ内にあって且つ内外の各フランジを付勢し、
バネ付勢体が、傾斜コイルバネにして、離間関係下に傾斜コイルバネのセンターラインに関して第１及び第２の各前選択傾斜角度で配置され、且つ、相互連結された複数のコイルバネを含む傾斜コイルバネを含み、
前記相互連結された複数の傾斜コイルバネの各バネが、前記センターラインに対して本来直交する少なくとも２つの異なる方向に撓み得るシールアセンブリ。
【請求項１９】
シール部品に係合する保持部材を更に含む請求項１８に記載のシールアセンブリ。
【発明の詳細な説明】
【技術分野】
【０００１】
本発明は一般に傾斜コイルバネ及び関連方法に関し、詳しくは、バネセンターラインに直交する少なくとも２方向に撓み得る傾斜コイルバネに関する設計、用途、方法に関する。
【背景技術】
【０００２】
従来の傾斜コイルバネは、コイルセンターラインに関して前選択傾斜角度で配置したコイルを相互連結してなる複数のコイルを含む。前記複数のコイルは、センターライン方向から見るとその前選択傾斜角度のために楕円形となる。各コイルは長短の各軸を含み、短軸に沿ってのみ、且つ、代表的には前選択傾斜角度に沿ってのみ撓むことで更に傾斜する。傾斜コイルバネはその傾斜特性上、センターライン方向に直交する力を付加すると短軸に沿って撓み得る。傾斜コイルバネの撓み力は、有効撓み範囲としても知られる撓み範囲に沿った複数のコイルの撓み量に関して比較的一定である。この特徴から、回転／静止シールや電気接続等の用途に適用する場合は有益性が高い。傾斜コイルバネには種々のサイズがあるため、傾斜コイルバネを用いるアプリケーションを小型で所望の結果を得られるように設計できる。
【０００３】
しかしながら従来の傾斜コイルバネには、コイルが長軸に沿って撓み得ないため、先に議論した、コイルの偏倚力に直交する長軸に沿って力が付加される場合は限界がある。一般に、傾斜コイルバネを用いるアプリケーションでは傾斜コイルバネを位置決めするバネ溝あるいはバネキャビティが必要となる。傾斜コイルバネがコイル長軸に沿って偏倚し得ないという限界があるために代表的にはコイル長軸より長いバネ溝幅が必要となる。
【発明の概要】
【発明が解決しようとする課題】
【０００４】
従来の欠点を解消する複数撓み性傾斜コイル及び関連方法を提供することである。
【課題を解決するための手段】
【０００５】
本発明によれば、センターラインに本来直交する少なくとも２方向に撓み得る傾斜コイルバネが提供される。少なくとも２方向に撓むという多彩性は、中でも、各コイルをそのセンターラインに関して傾斜させる、曲げる、あるいはシーケンシングして少なくとも２つの異なる平面に沿って少なくとも２つの前選択角度でセッティングすることにより可能となる。傾斜コイルバネのそのような能力は、従来型傾斜コイルバネを使用する電気接続部や回転／静止シール等の、単一撓み性の従来型傾斜コイルバネを現在使用しているアプリケーションに有益性をもたらし得る。従来型傾斜コイルバネは単方向にしか撓まないため、より厳格な幾何学的要件、厳しい精度要件、シャトリングあるいは軸方向遊びの発生、バネ力の一貫性が乏しい等の限界がある。本発明の少なくとも２方向に撓む傾斜コイルバネによればそうした限界が解消され且つ先に説明したアプリケーションでの使用により高い利益がもたらされ得る。
【０００６】
本発明の１様相によれば、傾斜コイルバネであって、離間関係下に相互連結され且つ傾斜コイルバネのセンターラインに関して前選択傾斜角度で配置した複数のコイルバネを含み、前記相互連結された複数のコイルバネの各バネが、前記センターラインに対して本来直交する少なくとも２方向に撓み得る傾斜コイルバネが提供される。
【０００７】
傾斜コイルバネは相互に無関係に少なくとも２方向に撓み得る。
傾斜コイルバネは、連結されてバネリングを形成する２つの端部を有し得る。前記２つの端部は相互に絡み合うように相互溶接あるいは重畳され得る。
相互連結された複数のコイルの少なくとも１つのコイルは楕円形状を有し得る。
相互連結された複数のコイルは更に、センターラインに本来直交する軸に関して別の前選択傾斜角度で配置され得る。
傾斜コイルバネの少なくとも１部分はセンターラインに対して屈曲され得る。
相互連結された複数のコイルは、中心線に関して角度、方向、又は角度及び方向の異なる交互する傾斜角度を有し得る。
少なくとも１つの楕円状のコイルが、撓み方向を示す長軸及び短軸を有し得る。
傾斜コイルバネは、電磁干渉シールド及び接地として機能し得る。
複数のコイルの少なくとも１つのコイルは矩形状あるいは四角形状を有し得る。
複数の傾斜コイルの少なくとも１つのコイルは多角形状を有し得る。
複数の傾斜コイルの少なくとも１つのコイルは三角形状を有し得る。
少なくとも２つの隣り合うコイルが何れも矩形状であり、矩形状のコイルの一方は他方の矩形状のコイルに関して９０°回転可能である。
【０００８】
本発明の更に他の様相によれば、コネクタアセンブリであって、第２胴部が第１胴部に挿入される第１胴部及び第２胴部を含み、第１胴部あるいは第２胴部の少なくとも一方が、少なくとも１つのバネ溝内に組み込んだ少なくとも１つの傾斜コイルバネを含み、前記傾斜コイルバネが、離間関係下に傾斜コイルバネのセンターラインに関して前選択傾斜角度で配置され、且つ、相互連結された複数のコイルバネを含み、前記相互連結された複数のコイルバネの各バネが、前記センターラインに対して本来直交する少なくとも２方向に撓み得るコネクタアセンブリが提供される。
【０００９】
傾斜コイルバネはバネ溝内で拘束され得る。
コネクタアセンブリは金属材料を含み得、電子機械連結部として機能し得る。
傾斜コイルバネは電磁干渉シールド及び接地として機能し得る。
本発明の更に他の様相によれば、シールアセンブリであって、シール部品及びバネ付勢体を含み、シール部品がシールリップを含み、バネ付勢体がバネキャビティ内にあって且つシールリップを付勢し、バネ付勢体が、傾斜コイルバネにして、離間関係下に傾斜コイルバネのセンターラインに関して前選択傾斜角度で配置され、且つ、相互連結配置された複数のコイルバネを含む傾斜コイルバネを含み、前記相互連結された複数の傾斜コイルバネの各バネが、前記センターラインに対して本来直交する少なくとも２方向に撓み得るシールアセンブリが提供される。
【００１０】
シールアセンブリは、シール部材に係合する保持部材を更に含み得る。シール部材は、内側フランジ、外側フランジ、内側フランジ及び外側フランジ間に位置付けた中央チャネルセクションを含み得る。
傾斜コイルバネの製造及びその使用方法が提供される。
本発明の更に他の様相によれば、傾斜コイルバネの製造方法であって、ワイヤを曲げあるいは圧延加工して、離間関係下に相互連結された複数のコイルを創出するステップ、複数のコイルの各コイルを第１位置でコイルセンターラインに関して第１の前選択傾斜角度に傾斜させるステップ、複数のコイルの各コイルを第２位置でコイルセンターラインに関して前記第１位置における第１の前選択傾斜角度とは異なる第２の前選択傾斜角度に傾斜させるステップを含む方法が提供される。
【００１１】
本方法には更に、傾斜コイルバネの２つの端部を連結してバネリングを形成するステップが含まれる。
各コイルは、本明細書に議論されるコイル特性、及び又は、コイル形状を有し得る。
コネクタアセンブリの製造及び使用方法を以下に説明する。
【００１２】
本発明の尚他の様相によれば傾斜コイルバネの使用方法が提供される。
傾斜コイルバネは、離間関係下に相互連結され、且つ、傾斜コイルバネのセンターラインに関して第１の前選択傾斜角度で配置され、且つ、前記センターラインに関して第２の前選択傾斜角度で配置される複数のコイルを含み、複数のコイルの各コイルが前記センターラインに全体に直交する少なくとも２方向に撓み得る。本方法は、傾斜コイルバネをハウジングの穿孔内あるいはピンの外側表面上のバネ溝内に配置し、次いでピンをハウジングの穿孔に挿入するステップが含まれる。
シールアセンブリの製造及び使用方法が提供される。
本方法には、傾斜コイルバネを、内側フランジ、外側フランジ、内側フランジ及び外側フランジ間に位置付けた中央チャネルセクションを含むシール要素のバネキャビティ内に配置するステップを含み得る。
【００１３】
本発明の更に他の様相によれば、傾斜コイルバネであって、離間関係下に相互連結された複数のコイルにして、傾斜コイルバネのセンターラインに関して第１の前選択傾斜角度で配置され、且つ、前記センターラインに関して第２の前選択傾斜角度で配置されたコイルを含み、前記複数のコイルの各コイルが、前記センターラインに全体に直交する少なくとも２方向に撓み得る傾斜コイルバネが提供される。
複数のコイルは相互に無関係に少なくとも２方向に撓み得る。
２つの端部は連結してバネリングを形成し得る。
複数のコイルの少なくとも１つは楕円形状を有し得る。
【００１４】
第１の前選択傾斜角度は約３５°〜約８９°の間であり得る。
少なくとも１つのコイルの少なくとも一部は第２の前選択傾斜角度に配置するべくセンターラインに対して屈曲させ得る。
複数のコイルはセンターラインに関する傾斜角度が交互するものであり得る。
楕円形状の少なくとも１つのコイルは撓み方向を示す長短の各軸を有し得る。
傾斜コイルバネの電磁干渉シールド及び接地アプリケーションはハウジング溝を備えるハウジングを更に含み得る。
複数のコイルは、バネ長さに沿って交互する異なる形状を有し得る。
傾斜コイルバネは、中心、内径部、外径を有するバネリング形態を有し得る。バネリングを構成するコイルはセンターラインを有し得る。コイルはセンターラインに直交する第１方向に沿って撓み得る。第１方向はセンターラインに関して第１の前選択傾斜角度と整列し得、第２方向はセンターラインに関する第２の前選択傾斜角度と整列し得る。
【００１５】
バネリングの外径部に沿って曲げセクションを配置し得る。曲げセクションはバネリングの外径部の、内径部及び外径部間の部分等の場所に配置され得る。
本発明の更に他の様相によれば、コネクタアセンブリであって、第２胴部が第１胴部に挿入される第１胴部及び第２胴部を含み、第１胴部あるいは第２胴部の少なくとも一方が、少なくとも１つのバネ溝内に組み込んだ少なくとも１つの傾斜コイルバネを含み、前記傾斜コイルバネが、離間関係下に傾斜コイルバネのセンターラインに関して前選択傾斜角度で配置され、且つ、相互連結された複数のコイルバネを含み、前記相互連結された複数のコイルバネの各バネが、前記センターラインに対して本来直交する少なくとも２方向に撓み得るコネクタアセンブリが提供される。
【００１６】
第２胴部はピン又はピストンであり得る。
第１胴部は、端部壁を有するあるいは有さない穿孔を含むハウジングであり得る。
傾斜コイルバネはバネ溝内で拘束され得る。
バネ溝は２つの側壁と、前記側壁間に位置付けた底壁とを含み得る。２つの側壁は相互に全体的に平行であり得る。２つの側壁は相対的にテーパ付けあるいは角度付けされ得る。ピンはテーパ付けされた挿入端部を有し得る。ピンはルーメンを備える中実あるいは中空のものであり得る。
傾斜コイルバネは、バネ溝の２つの側壁に接触して、且つ、底壁と、第１胴部或は第２胴部の１表面との間で偏倚され得る。バネ溝を第２胴部上に位置付けると前記１表面は第１胴部の表面となる。バネ溝を第１胴部の穿孔内に位置付けると前記１表面は第２胴部の表面となる。傾斜コイルバネの各コイルは、バネ溝の２つの側壁に接触して、且つ、底壁と、第１胴部或は第２胴部の１表面との間で偏倚されると、センターラインに全体に直交する２つの異なる方向に沿って撓む。
【００１７】
複数のコイルの少なくとも５つのコイルは各々、前記傾斜コイルバネのセンターラインに関する第１の前選択傾斜角度とは異なる、前記傾斜コイルバネのセンターラインに関する第２の前選択傾斜角度を形成する曲げセクションを含み得る。
コネクタアセンブリは、第１の金属シールド及び第２の金属シールドと電気的に連通する外側の複数撓み性傾斜コイルバネを含み得、バネ溝内に組み込んだ傾斜コイルバネが、ピンと金属コアとの間の電気連通部を提供する内側の複数撓み性傾斜コイルバネであり得る。非導電性の外側ハウジングを第１胴部の外側に設け、別の非導電性の外側ハウジングを第２胴部の外側に設け得る。
コネクタアセンブリは、複数の導電性リング接点要素と交互シーケンスにおいて積層した複数の絶縁要素を含み得る。
【００１８】
本発明の更に他の様相によれば、シール部品及びバネ付勢体を含むシールアセンブリであって、シール部品が、外側フランジ、シールリップを含む内側フランジ、外側フランジ及び内側フランジ間に位置付けられて相互にバネキャビティを画定する中央チャネルセクションを含み、バネ付勢体がバネキャビティ内に位置決めされ且つ内側フランジ及び外側フランジを付勢し、バネ付勢体が、傾斜コイルバネにして、離間関係下に傾斜コイルバネのセンターラインに関して第１の前選択傾斜角度で配置され、且つ、第２の前選択傾斜角度で配置され、且つ、相互連結された複数のコイルバネを含む傾斜コイルバネを含み、前記相互連結された複数のコイルバネの各バネが、前記センターラインに対して本来直交する少なくとも２方向に撓み得るシールアセンブリが提供される。
シールアセンブリは、シール部材に係合する保持部材を更に含む。
【発明の効果】
【００１９】
従来の欠点を解消する複数撓み性傾斜コイルバネ及び関連方法が提供される。
【図面の簡単な説明】
【００２０】
【図１Ａ】センターラインに関する傾斜コイルバネの前選択傾斜角度を表す正面図である。
【図１Ｂ】センターラインに関する傾斜コイルバネの図１Ａとは異なる前選択傾斜角度を表す斜視図である。
【図２Ａ】センターラインに関する前選択傾斜角度を示す複数撓み性傾斜コイルバネの側面図である。
【図２Ｂ】センターラインに関する前選択傾斜角度を示す複数撓み性傾斜コイルバネの側面図である。
【図２Ｃ】センターラインに関する前選択傾斜角度を示す複数撓み性傾斜コイルバネの平面図である。
【図３】センターラインに関する２つの前選択傾斜角度を含み、バネの２つの端部を連結して環状とした複数撓み性傾斜コイルバネの例示図である。
【図４Ａ】センターラインに関する２つの前選択傾斜角度を含む複数撓み性傾斜コイルバネの他の実施態様における側面図である。
【図４Ｂ】センターラインに関する２つの前選択傾斜角度を含む複数撓み性傾斜コイルバネの他の実施態様における斜視図である。
【図４Ｃ】センターラインに関する２つの前選択傾斜角度を含む複数撓み性傾斜コイルバネの他の実施態様における斜視図である。
【図５】センターラインに関する２つの前選択傾斜角度を含み、バネの２つの端部を連結して環状とした複数撓み性傾斜コイルバネの他の実施態様における例示図である。
【図６Ａ】少なくとも幾つかのコイルを曲げた状態で示す複数撓み性傾斜コイルバネの側面図である。
【図６Ｂ】少なくとも幾つかのコイルを曲げた状態で示す複数撓み性傾斜コイルバネの斜視図である。
【図７】少なくとも幾つかのコイルを曲げた状態で示す、２つのバネ端部を連結して環状とした複数撓み性傾斜コイルバネの例示図である。
【図８Ａ】コイルが交互する傾斜角度のシーケンスに追従する状態を示す複数撓み性傾斜コイルバネの側面図である。
【図８Ｂ】コイルが交互する傾斜角度のシーケンスに追従する状態を示す複数撓み性傾斜コイルバネの斜視図である。
【図８Ｃ】コイルが交互する傾斜角度のシーケンスに追従する状態を示す複数撓み性傾斜コイルバネの側面図である。
【図８Ｄ】コイルが交互する傾斜角度のシーケンスに追従する状態を示す複数撓み性傾斜コイルバネの斜視図である。
【図９Ａ】２つのバネ端部を連結して環状とした複数撓み性傾斜コイルバネの、コイルが交互する傾斜角度のシーケンスに追従する状態を示す例示図である。
【図９Ｂ】２つのバネ端部を連結して環状とした複数撓み性傾斜コイルバネの、コイルが交互する傾斜角度のシーケンスに追従する状態を示す例示図である。
【図１０Ａ】電気機械式コネクタアプリケーションで使用され、バネをハウジングに取り付けた状態で示す別の複数撓み性傾斜コイルバネを備えるコネクタの断面側面図である。
【図１０Ｂ】電気機械式コネクタアプリケーションで使用され、バネをハウジングに取り付けた状態で示す別の複数撓み性傾斜コイルバネを備えるコネクタの断面側面図である。
【図１０Ｃ】電気機械式コネクタアプリケーションで使用され、バネをピストンに取り付けた状態で示す別の複数撓み性傾斜コイルバネを備えるコネクタの断面側面図である。
【図１０Ｄ】電気機械式コネクタアプリケーションで使用され、バネをピストンに取り付けた状態で示す別の複数撓み性傾斜コイルバネを備えるコネクタの断面側面図である。
【図１０Ｅ】電気機械式コネクタアプリケーションで使用され、バネをハウジングに取り付けた状態で示す２つの複数撓み性傾斜コイルバネの断面側面図である。
【図１０Ｆ】電気機械式コネクタアプリケーションで使用され、バネをハウジングに取り付けた状態で示す２つの複数撓み性傾斜コイルバネの断面側面図である。
【図１０Ｇ】複数の複数撓み性傾斜コイルバネを備える積層可能なコネクタアセンブリの断面側面図である。
【図１１Ａ】別のシールアプリケーションにおける複数撓み性傾斜コイルバネの例示図である。
【図１１Ｂ】別のシールアプリケーションにおける複数撓み性傾斜コイルバネの例示図である。
【図１１Ｃ】別のシールアプリケーションにおける複数撓み性傾斜コイルバネの例示図である。
【図１２Ａ】コイル形状構成が夫々異なる、他の複数撓み性傾斜コイルバネあるいはバネリングの例示図である。
【図１２Ｂ】コイル形状構成が夫々異なる、他の複数撓み性傾斜コイルバネあるいはバネリングの例示図である。
【図１２Ｃ】コイル形状構成が夫々異なる、他の複数撓み性傾斜コイルバネあるいはバネリングの例示図である。
【図１２Ｄ】コイル形状構成が夫々異なる、他の複数撓み性傾斜コイルバネあるいはバネリングの例示図である。
【発明を実施するための形態】
【００２１】
以下に、付随する図面を参照して傾斜コイルバネの現在好ましい実施形態、及び、本発明の装置、システム及び方法の各様相に従い提供される傾斜コイルバネアプリケーションを非限定例として説明する。以下に、例示された実施形態に関連する本発明の装置、システム及び方法の実施形態の特徴及び、製造及び使用ステップに関して記載する。しかしながら、本明細書の範囲内に含まれる異なる実施形態によっても同一あるいは同等の機能及び構成が達成され得るものとする。同じ参照番号は同様あるいは類似の要素又は特徴を表すものとする。
【００２２】
本発明の傾斜コイルバネは、傾斜コイルバネのコイルを貫くセンターラインに直交する１つ以上の方向に沿って撓み得る。例えば、本発明の傾斜コイルバネはコイルの短軸に沿ってのみならず、コイルを貫くセンターラインに直交する、短軸に沿った方向とは異なる少なくとも他の方向に沿って撓み得る。かくして、本発明の傾斜コイルバネは複数撓み性傾斜コイルを備える傾斜コイルバネと考え得る。本発明の傾斜コイルバネは任意数の金属ワイヤ材料及び合金から作製し得、クラッディング、メッキ、あるいは、中空あるいは中実であり得る金属コアを包囲する１つ又は１つ以上の層を有する複数層等を含み得る。１実施形態では傾斜コイルバネはセンターラインに本来直交する少なくとも２方向に撓み得る。各撓み方向が１平面に沿ったものである場合、本発明の傾斜コイルバネは２つの異なる平面に沿って撓み得る。こうした能力は、バネをその内部に位置決めするバネ溝あるいはバネキャビティの溝幅を減少させ得、かくして傾斜コイルバネがバネ溝内部で自己保持し得る結果、同等アプリケーション設計をより小型化することが可能となる。
【００２３】
例えば、ハウジング、ピンあるいはピストンを含み、ハウジング、ピン／ピストン、の何れかあるいは両方にバネ溝を組み込む電気コネクタアプリケーションにおいて、センターラインに直交する少なくとも２方向に撓み得る傾斜コイルバネは、より大きな機械的衝撃量に耐え得、他方、１方向にのみ撓む従来製ピンにおけるそれ以上に溝保持状態を維持し得る。更に、以下に詳しく説明するようにバネの軸方向遊びが無いこと及び接触点数増加により、挿入力及び除去力のみならず導電性の信頼性が向上され得る。
【００２４】
他の実施形態では、内側フランジ、外側フランジ、及び中央チャネルセクションが画定するバネキャビティを有するシール要素を含む回転／静止シールアセンブリ内で、バネキャビティ内で少なくとも２方向に撓み得る傾斜コイルバネが、一貫したバネ力負荷位置を提供し得る。コイル幅保持能力により、シール要素のシャトリングが防止され得る。
センターラインに直交する少なくとも２方向に撓み得るとは、“複数撓み性傾斜コイルバネ”あるいは“ＭＤＣＣＳ”としても参照される。本発明のバネは電気機械式アプリケーションにおいて使用されるが、本明細書に記載する複数撓み性傾斜コイルバネは非導電性の機械式アプリケーションでも使用し得るものとする。
【００２５】
図１Ａ〜図１Ｃを参照するに、バネ１０４を有するＭＤＣＣＳ１００が示され、相互連結された複数のコイル１０２にして、複数のコイルのセンターラインＣＬに関して少なくとも２つの異なる前選択傾斜角度を含むコイル１０２を含んでいる。図１Ａには、センターラインＣＬに関して配置した第１の前選択傾斜角度ａを有する複数のコイル１０２を有する傾斜コイルバネ１００の正面図が示される。例えば、バネ１０４の形成後、コイルはセンターラインに関して配置した第１の前選択傾斜角度ａを有する。第１の前選択傾斜角度ａは、複数のコイルの各コイル１０２の、センターラインに直交する方向への撓みを可能とする。かくして角度ａは、コイル１０２がセンターラインに直交する方向に撓むとより小さくなる。相互連結された複数のコイル１０２は、第１の前選択傾斜角度ａから、この第１の前選択傾斜角度ａより小さい値の傾斜角度ａ’に撓み得る。換言すれば、コイルが撓むに際して、複数のコイルが撓まない角度ａ’は角度ａより小さく、各コイルが傾斜する方向は第１傾斜平面と称し得る傾斜平面を画定する。実際上、コイル１０２は、バネの内径部を支えつつバネの外径部上に力を行使する、あるいはそれらの両方に同時に力を行使すると撓み得る。撓み力を除去するとコイル角度は、コイルが破壊あるいは塑性変形されない限り第１傾斜角度ａに戻る。第１の前選択傾斜角度ａの範囲例はセンターラインから約３５°〜８９°の範囲であり得る。第２の前選択傾斜角度ｂの範囲例はセンターラインから約４５°〜約８９°の範囲であり得る。
【００２６】
図１Ｂには傾斜コイルバネ１００の平面図が示され、バネ１０４のコイル１０２が、センターラインＣＬに関して配置され得る第２の前選択傾斜角度ｂを有している。第２の前選択傾斜角度ｂは、コイルを傾斜させ、コイルを曲げ、あるいはコイルをシーケンシングしてセンターラインに本来直交する別の方向に撓ませることで形成され得る。例えば、図８Ａ及び図８Ｂには異なる傾斜シーケンスを有するコイル１０２が示される。ある実施形態では、傾斜角度の異なるコイルが反復するパターンでコイル巻きされる。第２の前選択傾斜角度ｂは、コイル１０２をセンターラインに直交する第２の方向に撓ませると減少し得る。コイル１０２は前選択傾斜角度ｂから、この第２の前選択傾斜角度ｂより小さい傾斜角度ｂ’へと撓み得る。各コイルが角度ｂからより小さい角度ｂ’に傾斜する方向は、第１の傾斜面とは異なる第２の傾斜平面と称し得る傾斜平面を画定する。対照的に、従来の傾斜コイルバネの前選択傾斜角度は単一であり、第２の傾斜方向には傾斜し得ないために第２の傾斜平面は有さない。何れもセンターラインに関する第１の前選択傾斜角度ａ及び第２の前選択傾斜角度ｂの組み合わせにより本発明の複数撓み性傾斜コイルバネ１００が画定される。複数撓み性傾斜コイルバネ１００は相互に無関係に少なくとも２つの方向に撓み得る。
【００２７】
図２Ａ〜図２Ｃには、バネ１０４状態での複数撓み性傾斜コイルバネ１００の斜視図が示される。図２Ａでは、バネ１０４状態での複数撓み性傾斜コイルバネ１００の複数のコイルの各コイル１０２は、複数撓み性傾斜コイルバネ１００のセンターラインＣＬに関する２つの前選択傾斜角度ａ及びｂで傾斜する。例えば、複数撓み性傾斜コイルバネ１００のコイル１０２は前選択傾斜角度ａから第１の方向に関する別の角度位置に沿って再度傾斜して第２の前選択傾斜角度ｂを形成する。２つの前選択傾斜角度ａ及びｂはセンターラインＣＬに本来直交する少なくとも２方向へのコイル撓みを可能とする。
【００２８】
図２Ｂにはバネ状の複数撓み性傾斜コイルバネ１００の各コイル１０２の端面図が示される。図２Ｃには、バネ１０４状態での複数撓み性傾斜コイルバネ１００の斜視図が示される。撓み方向が異なることで、複数撓み性を備える新規な複数撓み性傾斜コイルバネ１００が有益に提供される。コイル１０２は、単一傾斜方向性の従来の傾斜コイルバネとは対照的に、バネ溝あるいはバネキャビティ内に拘束及び維持され得るため、安定性及び操作性が向上する。代表的には、バネ１０４状態の複数撓み性傾斜コイルバネ１００は、これに限定しないが、環状の電気接続部やシールアセンブリ等のアプリケーションに利用し得るよう、２つの端部を溶接してバネリングとすることで環状に形成される。複数撓み性傾斜コイルバネ１００は相互に無関係に少なくとも２方向に撓み得る。
図１Ａ及び図２Ｂを参照するに、コイル１０２を、コイルのセンターラインＣＬに全体に直交する撓み力を加えて傾斜させるとコイルは更に傾斜あるいは傾き、傾斜角度はセンターラインに関して角度ａより小さい角度ａ’となる。コイルを端部側から、例えば図２Ｂに示す方向から見た場合、コイル１０２を撓ませると見た目に遠ざかるように傾斜あるいは傾くので、コイルワイヤの内側の開放空間は撓み力を付加しない場合よりずっと楕円状に見える。この傾斜力学は、コイルを傾斜角度ｂ（図１Ｂ）から傾斜角度ｂ’に傾斜させる場合等の、コイルを他の方向に沿って撓ませる場合にも言えることである。この説明は全体に、本明細書に記載される他の複数撓み性傾斜コイルバネ１００に対しても適用され得る。
【００２９】
図３には図２Ａ〜図２Ｃの複数撓み性傾斜コイルバネ１００のバネ１０４の２つの端部を連結して、バネ中心１１２、バネ内径部（ＩＤ）１１４、バネ外径（ＯＤ）１１６を有する環状に形成したバネリング１１０が示される。バネ内径部（ＩＤ）、バネ外径（ＯＤ）、コイル高さ及びコイル幅はアプリケーションに応じて選択され得る。前選択傾斜角度ａ及びｂ、及び、コイルバネのセンターラインに関する相対的な傾斜方向もまたアプリケーションに応じて選択され得る。例えば、色々のバネ特性を、中でも、錠止性、作動環境のサイズあるいは空間、及びまたは、作動環境の温度条件に基づき、ピストンをハウジングの穿孔内に挿入する高い挿入力、ピストンを穿孔から取り外す高い除去力、ピストンを穿孔内に維持する高い保持力に基づいて選択し得る。
【００３０】
かくして、本発明の１様相によれば、複数撓み性傾斜コイルバネ１００であって、相互連結された複数のコイルあるいは、センターラインＣＬを有し相互連結された複数のコイル１０２を含み、各コイルが、センターラインに関する第１の前選択傾斜角度ａと、センターラインに関する第２の前選択傾斜角度ｂとを有する複数撓み性傾斜コイルバネが提供される。コイルは、第１の前選択傾斜角度ａ及び第２の前選択傾斜角度ｂに傾斜させるための、センターラインＣＬに直交する力を付加すると第１の前選択傾斜角度ａ及び第２の前選択傾斜角度ｂに沿って傾斜し、第１の前選択傾斜角度ａより小さい傾斜角度ａ’及び第２の前選択傾斜角度ｂより小さい傾斜角度ｂ’を創出し、コイルは撓み力を付加する以前より更に傾斜される。複数撓み性傾斜コイルバネ１００のバネ１０４の各端部は連結してバネリングを形成し得る。
【００３１】
図４Ａ〜図４Ｃには、本発明の他の様相に従う別態様のバネ１０４状態の複数撓み性傾斜コイルバネ１００が示される。図４Ａには、別態様の複数撓み性傾斜コイルバネ１００が示され、各コイル１０２がセンターラインに関する第１の前選択傾斜角度ａと、同様にセンターラインに関する第２の前選択傾斜角度ｂとに沿って傾斜される。複数撓み性傾斜コイルバネ１００の複数のコイル１０２の各々は、前選択傾斜角度ａで第１方向に沿って傾斜し、次いで、第２の前選択傾斜角度ｂで、第１方向とは別の角度位置に沿って再度傾斜され得る。図４Ｂには別態様の複数撓み性傾斜コイルバネ１００の、各々が本来斜行された楕円形状を有するコイル１０２が端面図で示され、各コイル１０２の、全体に四角形あるいは矩形のバネ溝への接触を想定した接触領域１２０は、図２Ｂに斜視図で示す複数撓み性傾斜コイルバネ１００の接触領域１２０と比較してやはり若干ずれている。図４Ｃには、図４Ａのバネ１０４状態の複数撓み性傾斜コイルバネ１００の別態様が斜視図で示される。複数撓み性傾斜コイルバネ１００は相互に無関係に少なくとも２方向に撓み得る。
【００３２】
図５には、図４Ａ〜図４Ｃのバネ１０４状態の複数撓み性傾斜コイルバネ１００の２つの端部を連結してバネ中心１１２、バネ内径部（ＩＤ）１１４、バネ外径（ＯＤ）１１６を有する環状に形成したバネリング１１０が示される。バネ内径部（ＩＤ）、バネ外径（ＯＤ）、コイル高さ及びコイル幅はアプリケーションに応じて選択され得る。前選択傾斜角度ａ及びｂ、及び、相対的な及びコイルバネのセンターラインに関する傾斜方向もまたアプリケーションに応じて選択され得る。例えば色々のバネ特性を、中でも、錠止性、作動環境のサイズあるいは空間、及びまたは、作動環境の温度条件に基づき、ピストンをハウジングの穿孔内に挿入する高い挿入力、ピストンを穿孔から取り外す高い除去力、ピストンを穿孔内に維持する高い保持力に基づいて選択し得る。
【００３３】
かくして、本発明の１様相によれば、複数撓み性傾斜コイルバネ１００であって、相互連結された複数のコイルあるいは相互連結されセンターラインＣＬを有する複数のコイル１０２を含み、各コイルが、センターラインに関する第１の前選択傾斜角度ａと、センターラインに関する第２の前選択傾斜角度ｂとを有する複数撓み性傾斜コイルバネが提供される。この複数撓み性傾斜コイルバネ１００の前選択傾斜角度ａ及びｂは図２Ａ〜図２Ｃの複数撓み性傾斜コイルバネ１００の前選択傾斜角度ａ及びｂとは異なり、異なる前選択傾斜角度ａ’ｓ及びｂ’ｓ、あるいはそれらの両方を有するものとする。コイルは、第１の前選択傾斜角度ａ及び第２の前選択傾斜角度ｂに傾斜させるための、センターラインＣＬに直交する力を付加すると第１の前選択傾斜角度ａ及び第２の前選択傾斜角度ｂに沿って傾斜し、第１の前選択傾斜角度ａより小さい傾斜角度ａ’及び第２の前選択傾斜角度ｂより小さい傾斜角度ｂ’を創出し、コイルは撓み力を付加する以前より更に傾斜される。複数撓み性傾斜コイルバネ１００のバネ１０４の各端部は連結してバネリングを形成し得る。
【００３４】
図６Ａ〜図６Ｂには本発明の他の様相に従う別態様の複数撓み性傾斜コイルバネ１００のバネ１０４が示される。本形態では相互連結するコイルの各コイル１０２は曲げセクション１２２位置に曲げ部１２８を有する。図６Ａの複数撓み性傾斜コイルバネ１００の各コイル１０２では、先にセンターラインＣＬに関して第１の前選択傾斜角度ａで傾斜させ、次いで屈曲させることでセンターラインＣＬに関する第２の前選択傾斜角度ｂが確立される。換言すると、コイル１０２を傾斜させた後、各コイル１０２の第１部分１２４を固定したまま各コイルの第２部分１２６を曲げセクション１２２で曲げると、センターラインＣＬに関する第２の前選択傾斜角度ｂが形成される。コイル１０２を第１の前選択傾斜角度ａで先ず傾斜させることで第１方向の撓みが達成され、コイル１０２を曲げセクション１２２で曲げることで第２方向の撓みが達成される。言い換えると、各コイルを異なるセクションで曲げてコイル１０２を撓ませることで第２の前選択傾斜角度ｂが生じ、センターラインに直交する方向の異なる力ベクトルを付加するとコイルは傾斜角度ｂ’に傾斜する。かくして、本実施形態の複数撓み性傾斜コイルバネ１００では、コイル１０２を更に変形させる必要無く、各コイル１０２の異なるセクションを曲げるのみで第２の前選択傾斜角度ｂが形成される。先の図面の複数撓み性傾斜コイルバネ１００におけると同様に、本実施形態の複数撓み性傾斜コイルバネ１００は複数のコイル１０２を有し、各コイルは曲げセクション１２２に、センターラインＣＬに関するコイルの少なくとも２方向への撓みを可能とする曲げ部１２８を有する。各コイル１０２の各曲げセクション１２２は狭い公差内で全体に同一であるため、同一の接触力を付加すると全体に同じように撓み得る。各コイルは２方向に沿って個別にも撓み得る。
【００３５】
図６Ｂには図６Ａの、各コイルが曲げ部１２８を有する複数撓み性傾斜コイルバネ１００の斜視図が示される。複数撓み性傾斜コイルバネ１００は相互連結された複数のコイル１０２を含み、各コイル１０２は、コイルのセンターラインに関して傾斜して第１の前選択傾斜角度ａを形成し、曲げセクション１２２位置で屈曲して第２の前選択傾斜角度ｂを形成し、前記前選択傾斜角度ｂに撓むとコイルの傾斜角度ｂ’が生じ得る。バネ１０４は、説明した幾つかのアプリケーションの１つで使用するための、図７に示す如き環状のバネリング１１０としても形成され得る。曲げセクション１２２は、図示の如くバネリング１１０の外径部１１６に沿って全体に位置付けられる。他の実施形態では曲げセクション１２２はバネリングの外径部１１６から離れた、例えば、内径部及び外径部の間に位置付け得る。この曲げセクション１２２の相対位置上、バネリング１１０の形成時に一組の異なる前選択傾斜角度ａ及びｂが創出され得る。例えば、２接点間の半弧角は、前選択傾斜角度ａ及びｂの対とは異なり得る２つの角度ａ及びｂに沿った傾斜を生じさせ得る。複数撓み性傾斜コイルバネ１００は相互に無関係に少なくとも２方向に撓み得る。
【００３６】
本発明の１様相によれば、複数撓み性傾斜コイルバネ１００であって、コイルのセンターラインＣＬを有する相互連結された複数のコイル１０２を含み、各コイルが、センターラインに関する第１の前選択傾斜角度ａと、センターラインに関する第２の前選択傾斜角度ｂを有する複数撓み性傾斜コイルバネ１００が提供される。複数撓み性傾斜コイルバネ１００の第１の前選択傾斜角度ａ及び第２の前選択傾斜角度ｂは図２Ａ〜図２Ｃ及び図４Ａ〜図４Ｃの複数撓み性傾斜コイルバネ１００における第１の前選択傾斜角度ａ及び第２の前選択傾斜角度ｂとは異なる。コイル１０２は、複数撓み性傾斜コイルバネ１００を前選択傾斜角度ａ及び前選択傾斜角度ｂに沿って傾斜させる力をセンターラインＣＬに直交する力を付加すると傾斜あるいは撓んで第１の前選択傾斜角度ａより小さい傾斜角度ａ’及び第２の前選択傾斜角度ｂより小さい傾斜角度ｂ’を創出し、かくしてコイルは撓み力を付加する以前より更に傾斜される。複数撓み性傾斜コイルバネ１００のバネ１０４の各端部は連結してバネリングを形成し得る。本実施形態では複数撓み性傾斜コイルバネ１００は、先ず、センターラインＣＬに関して第１の前選択傾斜角度ａに傾斜する相互連結された複数のコイル１０２を有する。次いでコイル１０２は屈曲してセンターラインＣＬに関する第２の前選択傾斜角度ｂを確立する。言い換えると、各コイル１０２の第１部分１２４が固定されたままで各コイルの第２部分１２６が曲げセクション１２２位置で曲がり、センターラインＣＬに関する第２の前選択傾斜角度ｂを形成する。
【００３７】
図８Ａ〜図８Ｂには、本発明の更に他の様相に従う、複数のコイル１０２、１０２’を含むバネ１０４状態の複数撓み性傾斜コイルバネ１００が示される。１実施形態ではバネ１０４は交互する傾斜角度のシーケンスを追従する複数のコイル１０２、１０２’を含む。図８Ａでは複数撓み性傾斜コイルバネ１００の、図８Ａの左側に示す第１コイル１０２はセンターラインＣＬに関する第１の前選択傾斜角度ａを有し、続く第２のコイル１０２’はセンターラインＣＬに関する第２の前選択傾斜角度ｂを有する。このパターンは、第１の前選択傾斜角度ａのコイル１０２と、第２前選択傾斜角度ｂのコイル１０２’との間で反復されて続く。他の例では、傾斜角度のシーケンスのパターンは異なり得る。図８Ｂには、センターラインＣＬ方向にコイル１０２、１０２’が交互するシーケンスにおける図８Ａの複数撓み性傾斜コイルバネ１００のバネ１０４が端面図で示される。コイル１０２、１０２’は異なる形状、異なる角度あるいはその両方を有し得る。
【００３８】
図８Ｃには本発明の更に他の様相に従う、複数のコイル１０２、１０２’を含むバネ１０４状態の複数撓み性傾斜コイルバネ１００が示される。本実施形態ではコイル１０２、１０２’は異なる傾斜角度間で交互するが、図８Ａ及び図８Ｂのバネ１０４におけるそれとは異なるシーケンスを具現している。図示の如く、第１のコイル１０２及び第２のコイル１０２’は、図８Ｃの左側から右側に掛けて同じ第１の前選択傾斜角度ａを有し、他方、第３のコイル１０２’及び第４のコイル１０２’は第２の前選択傾斜角度ｂを有する。図８Ｄではバネ１０４は、図８Ｃの複数撓み性傾斜コイルバネ１００の、センターラインＣＬ方向においてコイル１０２、１０２’の傾斜が交互するシーケンスを有するばね１０４が端面図で示される。バネ１０４は、図８Ａを左側から右側に見た場合に、第１のコイル１０２及び第２のコイル１０２がセンターラインＣＬに関する第１の前選択傾斜角度ａを有し、続く第２のコイル１０２’及び第３のコイル１０２’はセンターラインＣＬに関する第２の前選択傾斜角度ｂを有する。次いでこのパターンが反復される。傾斜角度がａ、ａ、ｂ、ｂ、ａ、ａ、ｂ、ｂ等に交互するコイル１０２、１０２’のそのようなシーケンスにより、少なくとも２方向におけるコイルの撓みが可能となり、且つ、環状のコネクタ及びシールアプリケーションで使用可能な、図９Ａ〜図９Ｂに示す如きバネリング１１０を形成する環状にも形成され得る。図示の如く、図８Ａ及び図８Ｂのバネ１０４はその２つの端部を連結して図９Ａのバネリング１１０を形成し得る。図８Ｃ及び図８Ｄのバネ１０４は、その２つの端部を連結して図９ＢＡのバネリング１１０を形成し得る。複数撓み性傾斜コイルバネ１００は相互に無関係に少なくとも２方向に撓み得る。
【００３９】
図１０Ａ〜図１０Ｇには、本発明に従う複数撓み性傾斜コイルバネ１００が示され、少なくとも２つの異なる前選択傾斜角度ａ及びｂを有する相互連結された複数のコイル１０２にして、少なくとも２つの異なる平面に沿った、センターラインＣＬに全体に直交する２つの異なる力ベクトルを付加すると撓み得るコイル１０２を含んでいる。複数撓み性傾斜コイルバネ１００は本明細書において議論される任意の複数撓み性傾斜コイルバネ１００であり得る。複数撓み性傾斜コイルバネ１００は、バネリング１１０の形態で使用される。先ず図１０Ａを参照するに、複数撓み性傾斜コイルバネ１００がハウジング１６２のバネ溝あるいはバネキャビティ１５８内に位置付けられる状態でハウジングに搭載され、ピンあるいはピストン１６４を含む電気コネクタアセンブリ１６０を通して電流を提供する電気接点構成で示される。ピン１６４は第１胴部として参照され得、代表的には導電性の金属材料から作製される。ハウジング１６２は第２胴部として参照され得、代表的にはピン１６４を受け入れる穿孔１６６を有し、金属材料から作製される。第１及び第２とは、第１人物及び第２人物の如き、異なる２つの物体を指すために用いられるものであり、文脈上そうでないことが示されない限り、構造を制限しないものとする。複数撓み性傾斜コイルバネ１００はハウジングのハウジング溝あるいはバネキャビティ１５８内で電路を継続させるように位置決めされる。コネクタアセンブリ１６０を介して第１の電気あるいは電子部品が第２の電気あるいは電子部品に接続され得る。例えば、回路基板であり得る第１の電子部品を、別の回路基板あるいは電源等の第２の電機部品に、第１及び第２の各電気部品にワイヤ接続され得るコネクタアセンブリ１６０を介して接続し得る。
【００４０】
図示されるバネ溝、ハウジング溝、あるいはバネキャビティ１５８は２つの側壁１７０ａ、１７０ｂと、これら２つの側壁間に位置付けた底壁７０ｃとを含む。２つの側壁１７０ａ、１７０ｂは全体に相互に平行であり、底壁１７０ｃは、側方断面で見た場合に２つの側壁１７０ａ、１７０ｂの少なくとも一方に全体に直交する。他の実施形態では２つの側壁１７０ａ、１７０ｂは相対的に角度、例えば内外方向のテーパを有し得る。バネ溝１５８は、ピストンがハウジング１６２の穿孔１６６に挿入される際にバネ溝１５８の壁面が複数撓み性傾斜コイルバネ１００に負荷を加えてバネをコイルのセンターラインに直交する少なくとも２方向に傾斜させるように寸法形状付けされる。複数撓み性傾斜コイルバネ１００は、相互連結されたコイル１０２あるいは１０２／１０２’が、相互連結されたコイルが前選択傾斜角度ａ及びｂに沿って傾斜する初期傾斜位置から移動し、バネ溝１５８の壁面とピン１６４による生じる負荷が相互連結されたコイルを撓ませることで傾斜し、夫々前選択傾斜角度ａ及びｂより小さい角度の角度ａ’及びｂ’に傾斜される。対照的に、単一の傾斜角度に沿ってのみ傾斜する従来の傾斜コイルバネは、負荷を受けるとそのセンターラインに直交する単方向に沿ってのみ、例えば角度ａから角度ａ’に傾斜するのみであってその他方向には傾斜し得ない。その結果、記載したハウジング１６２のバネ溝１５８は、センターラインＣＬに直交する少なくとも１つの追加方向に傾斜可能な本発明の複数撓み性傾斜コイルバネ１００の能力により、単方向傾斜性のコイルバネを用いるアプリケーションと比較して寸法形状をずっと小型化できる。
【００４１】
本発明の複数撓み性傾斜コイルバネ１００は、バネ溝１５８と共に使用し、且つピン１６４の表面１７２に接触して負荷を受けた場合に、単方向傾斜性のみを備える従来の傾斜コイルバネでは不可能な、ハウジング溝１５８及びピン１６４の壁面に対する異なるバネ抗力をも発生し得る。例えば、本発明の複数撓み性傾斜コイルバネ１００がコイルのセンターラインに直交する少なくとも２つの異なる方向に傾斜し得ることから、本発明の複数撓み性傾斜コイルバネ１００は伝統的なコイルバネに勝る、少なくとも１つの追加方向の偏倚力を生成し得る。この追加的な傾斜方向により、コネクタ設計者はバネ溝に異なる幾何学を導入する、あるいは従来不可能だったコネクタ表面へのバネ力を発生させることが可能になる。かくして、図示の如く、複数のコイル１０２はバネ溝１５８の２つの側壁１７０ａ、１７０ｂにより撓まされて第１の前選択傾斜角度ａから傾斜角度ａ’へと更に傾斜され、ピン１６４の底壁１７０ｃ及び表面１７２により、第２の前選択傾斜角度ｂから傾斜角度ｂ’へと更に傾斜される。異なる２方向への複数のコイル１０２の撓みは、ピンの表面１７２と、側壁１７０ａ、１７０ｂの一方又は両方とによる拘束による等のその他ファクタの組み合わせによっても生じ得る。
【００４２】
ピン１６４はテーパ付き挿入端１７４を備える状態で示され、穿孔１６６はテーパあるいはフレア状開口１７６を備え、前記開口の周囲部はバネ溝から離れる方向でその内径部より大きくなる。フレア状開口１７６は、ピン１６４の穿孔１６６への挿入をより容易化し、テーパ付き挿入端１７４はピンの、複数撓み性傾斜コイルバネ１００のリフトによる連結完成をより容易化する。バネのリフトとは、複数撓み性傾斜コイルバネ１００の複数のコイル１０２等のバネを、バネリングの外径部を支持しつつ、バネリング１１０の内径部から傾斜させることを意味するものとする。ピン１６４の表面１７２はその外径がバネリング１１０の内径より大きいため、複数のコイル１０２をコイルのセンターラインに直交する少なくとも２方向に傾斜させ、それによりコイルを第１の前選択傾斜角度ａから傾斜角度ａ’に傾斜させ、且つ第２の前選択傾斜角度ｂから傾斜角度ｂ’へと傾斜させる。
【００４３】
穿孔１６６は端部壁１８０を有し得、あるいは穿孔は端部壁を有さない貫通穿孔であり得る。ピン１６４は挿入端部表面１８２を備える状態で示され、中実構造を有する。他の実施形態ではピンは中空であり得且つルーメンを有し得る。ピン１６４をハウジング１６２の穿孔１６６内に挿入すると２つの端部表面１８０、１８２間に間隙１８４が提供される。ある実施形態では、間隙を保証するための非導電性あるいは誘電性のスぺーサが穿孔内部あるいはピンの端部表面位置に配置され得る。
【００４４】
複数撓み性傾斜コイルバネ１００を記載した如く拘束することで、溝保持状態を維持しつつより大きな機械的衝撃に耐える場合や、挿入及びブレークアウト力が増加する場合に有用であり得、接触点が増大し且つ軸方向遊びが排除されることで導電性の信頼性が高まる。そのような能力はバネ溝１５８が製造上の狭い公差を有する必要性を無くし得、それが結局、製造プロセスを容易化し且つ全体コストを低減させる。
【００４５】
図１０Ｂには図１０Ａのそれと類似のコネクタアセンブリ１６０が示され、交互する複数撓み性傾斜コイルバネ１００を有している。かくして、図１０Ｂに示す複数撓み性傾斜コイルバネ１００は、コイルのセンターラインＣＬに全体に直交する少なくとも２つの異なる方向力ベクトルを付加すると撓み得る少なくとも２つの異なる前選択傾斜角度を有する、相互連結された複数のコイル１０２を含む。異なる力ベクトルとは、異なる方向でその値が同一あるいは相違するものとする。図示したように、複数のコイル１０２は、図１０Ａのコイル１０２の角度位置と比較して、コイルのセンターラインを中心に各々回転されている。複数のコイル１０２は、バネ溝１５８の２つの側壁１７０ａ、１７０ｂにより撓まされて第１の前選択傾斜角度ａから傾斜角度ａ’に傾斜し、底壁１７０ｃとピン１６４の表面１７２とにより、第２の前選択傾斜角度ｂから傾斜角度ｂ’に更に傾斜する。２つの異なる方向に沿った複数のコイル１０２の撓みは、ピン及び側壁１７０ａ、１７０ｂの一方あるいは両方に拘束されることによる等のその他ファクタの組み合わせによっても生じ得る。
【００４６】
図１０Ｃには、ハウジング１６２及びピストンあるいはピン１６４を含むコネクタアセンブリ１９０が示される。本コネクタアセンブリ１９０は、ピストン取り付け構成を有する点を除き、図１０Ａのコネクタアセンブリ１６０と類似のものである。即ち、ピストン１６４には、ピストン及びハウジングを相互組み立てするに先立ち複数撓み性傾斜コイルバネ１００を維持するピストン溝あるいはピン溝１９２が設けられる。ピストン溝１９２はハウジングのバネ溝１５８について先に説明したそれと類似する構造特徴を有し得る。
【００４７】
図１０Ｄには、図１０Ｃのコネクタアセンブリにおけるそれと類似のハウジング１６２及びピストンあるいはピン１６４を含み、ピストン取り付けした複数撓み性傾斜コイルバネ１００を有する。しかしながら、本実施形態の複数撓み性傾斜コイルバネ１００は、コイルのセンターラインに関して回転されたコイルを有する図１０Ｂの複数撓み性傾斜コイルバネ１００と類似のものである。
【００４８】
図１０Ｅには、装置、システム、及び方法を含む本発明の更に他の様相に従う同中心型コネクタアセンブリ２００の断面図が示される。図示するように、同中心型コネクタアセンブリ２００は、第２コネクタ胴部２０４に連結した第１コネクタ胴部２０２を含む。第１コネクタ胴部２０２は、第１の外側ハウジング２０８により覆われる第１金属シールド２０６を含む。第１コネクタ胴部２０２は、内側ジャケット２１２により第１金属シールド２０６から分離される金属コア２１０を更に含む。第１外側ハウジング２０８及び内側ジャケット２１２は誘電性あるいは非導電性であって、第１金属シールド２０６を金属コア２１０及び外部環境から絶縁する。図示されるように、外側ハウジング２０８の位置部は第１金属シールド２０６の端部セクション２１６を第１あるいは外側の複数撓み性傾斜コイルバネ２１８に対して露呈させるよう剥ぎ取られあるいは除去される。第１外側ハウジング２０８の除去部分は、第１コネクタ胴部２０２の、以下に更に説明するように第２コネクタ胴部２０４の穿孔内に挿入するためのテーパ付き挿入端部２１５を有するノーズセクション２１４をも露呈させる。金属コア２１０は、内側或いは第２の複数撓み性傾斜コイルバネ２２０をその内部に位置付ける穿孔１６６及びバネ溝１５８を有する。第１及び第２の複数撓み性傾斜コイルバネ２１８及び２２０は本明細書中に記載する任意の複数撓み性傾斜コイルバネであり得る。第１コネクタ胴部２０２の穿孔１６６及びバネ溝１５８は図１０Ａのコネクタアセンブリ１６０の穿孔１６６及びハウジング溝１５８と類似のものであり得る。
【００４９】
第２コネクタ胴部２０４は金属ピン２２６と、ピンを包囲する内側ジャケット２２８と、第２金属シールド２３０と、第２外側ハウジング２３２とを含む。第２外側ハウジング２３２及び内側ジャケット２２８は誘電性あるいは非導電性であって、第１ピン２２６を第２金属シールド２３０及び外部環境から絶縁する。第２コネクタ胴部２０４は、第１コネクタ胴部２０２のノーズセクション２１４を受ける穿孔２４０を有する。穿孔２４０は穿孔直径及び端部壁２４２を有し、金属ピン２２６は端部壁２４２から外側に突出して第１コネクタ胴部２０２の穿孔１６６内に挿入される。
【００５０】
図１０Ｅに示すように第１コネクタ胴部２０２を第２コネクタ胴部２０４に連結すると第１の複数撓み性傾斜コイルバネ２１８が第１金属シールド２０６と第２金属シールド２３０との間の電気的連通を提供し、第２の複数撓み性傾斜コイルバネ２２０がピン２２６と金属コア２１０との間の電気的連通を提供する。第１の複数撓み性傾斜コイルバネ２１８はコネクタ胴部取り付けされた電磁干渉シールドとして使用され、第１金属シールド２０６と第２金属シールド２３０との間の電路を継続させる。詳しくは、第２コネクタ胴部２０４の第２金属シールド２３０は、図１０Ａのバネ溝１５８と類似のものであり得るバネ溝１５８を組み込むための十分な肉厚を有する。
【００５１】
図１０Ｆには、若干を除いて図１０Ｅのアセンブリと類似の同中心型コネクタアセンブリ２００が示される。図１０Ｆの実施形態では第１コネクタ胴部２０２の第１金属シールド２０６は、第１の又は、外側の複数撓み性傾斜コイルバネ２１８を受けるバネ溝１５８を組み込むために十分な肉厚を有する。第２コネクタ胴部２０４の第２金属シールド２３０はもはや第１の複数撓み性傾斜コイルバネ２１８を収受するバネ溝を有さないため、図１０Ｅの第２金属シールド２３０より比較的薄肉である。他の実施形態では種々のディメンション及び肉厚は変更され得る。かくして、図１０Ｅ及び図１０Ｆのコネクタアセンブリ２００では第１の複数撓み性傾斜コイルバネ２１８は、第１コネクタ胴部を第２コネクタ胴部に組み合わせるに先立ち、第１コネクタ胴部２０２あるいは第２コネクタ胴部２０４に取り付け得る。同様に、ピン２２６は、穿孔のバネ溝内に第２の複数撓み性傾斜コイルバネ２２０を押し込むのに代えて、第２の複数撓み性傾斜コイルバネ２２０を収受するバネ溝を組み込むように改変され得る。
【００５２】
図１０Ｇには積層自在のコネクタアセンブリ２５０が示され、第１胴部２５２を含み、前記第１胴部は第２胴部２５４に組み合わされている。第１胴部２５２は略示され、電流あるいは電気を導伝するためのピンを表し得る。ある実施形態では第１胴部２５２は埋め込み型医療機器ＩＭＤで使用する導電性ケーブルに類似の、複数の複数撓み性傾斜コイルバネ１００を接続する複数の導線を含む導電性ケーブルであり得る。複数の導線は、誘電性スリーブ或はセクションで相互に離間され得る。第１胴部２５２の細長胴部２５６の内側で複数のケーブルが細長胴部上の各導線に連結される。細長胴部２５６内の複数のケーブルは、埋め込み型心臓除細動器として機能するべく心臓上に配置する電極等のその他装置あるいは端子に伸延あるいは接続され得る。
【００５３】
第２胴部２５４は、複数の導電性リング接点要素２６２間に積層した誘電性あるいは非導電性であり得る複数の絶縁要素２６０と共に示される。複数撓み性傾斜コイルバネ１００には各導電性リング接点要素２６２が設けられる。交互する多数の絶縁要素及び導電性リング接点要素は埋め込み型医療機器が必要とするノードに基づいて変更できる。かくして、相当する絶縁要素を備える３つより少ないあるいはそれ以上の導電性リング接点要素及び複数撓み性傾斜コイルバネが意図される。
【００５４】
２つの端部絶縁要素２６０ａ、２６０ｂは、導電性リング接点要素２６２をその他の導電性部品から絶縁する点で中間絶縁要素２６０と同一あるいは類似のものであり得るが、積層したコネクタアセンブリ２５０を埋め込み型医療機器のヘッダ等のその他部品に固定あるいは装着するその他特徴部を組み込み得る。図示したように、各絶縁要素は、その内側穿孔から伸延して細長胴部２５６の外側表面２６８をシールする環状突出部２６６を含む。ある実施形態では穿孔の壁面は、環状突出部の底部から先端部までの環状突出部の有効測定長を増加させるよう、各環状突出部２６６の底部位置で凹陥され得る。これにより、環状突出部の、長さ対幅比、及び、第１胴部２５２を第２胴部２５４の共通穿孔に挿入した場合の撓み性が増大する。
【００５５】
各絶縁要素２６０は、隣り合う導電性リング接点要素２６２の軸方向突出部２７６を受ける溝２７４を含む。各導電性リング接点要素２６２には、本明細書に記載する任意の種々の複数撓み性傾斜コイルバネであり得る複数撓み性傾斜コイルバネ１００を保持するバネ溝２７８が設けられる。バネ溝２７８は、中央壁２８０から伸延する２つの導電性側壁によって、あるいは、図１０Ｇに示すように、中央壁２８０から伸延する１つの導電性側壁２８２及び、隣り合う絶縁要素２６０により形成される１つの非導電性側壁により形成される隣り合う２つの絶縁要素２６０により形成される２つの側壁を有し得る。各導電性リング接点要素２６２の中央壁２８０の内側には、そこに位置付けられる複数撓み性傾斜コイルバネ１００に同時に接触する２つのテーパ付き表面を有する底壁２８４が設けられる。複数撓み性傾斜コイルバネ１００は、第１胴部２５２の底壁２８４及び表面２６８の両方に接触して偏倚される。複数撓み性傾斜コイルバネ１００は図示するように両方の側壁にも接触して偏倚され得る。
【００５６】
複数撓み性傾斜コイルバネ１００のコイル１０２が少なくとも２方向に撓むことで、溝幅を減少させて複数撓み性傾斜コイルバネ１００を拘束することで、寸法形状に関して最適化されたコネクタシステムが提供され得る。複数撓み性傾斜コイルバネ１００が拘束されることで、溝保持状態を維持しつつより大きな機械的衝撃に耐える場合や、挿入及びブレークアウト力が増加する場合に有用であり得、接触点が増大し且つ軸方向遊びが排除されることで導電性の信頼性が高まる。そのような能力はバネ溝２７８が製造上の狭い公差を有する必要性を無くし得、それが結局、製造プロセスを容易化し且つ全体コストを低減させる。
【００５７】
図１１Ａ〜図１１Ｃには本発明の複数撓み性傾斜コイルバネ１００を使用する別のシール用とが示される。複数撓み性傾斜コイルバネ１００は、コイルのセンターラインＣＬ全体に直交する少なくとも２つの異なる力ベクトルを付加すると少なくとも２つの異なる前選択傾斜角度に撓み得る、相互連結された複数のコイル１０２を有する。図１１Ａにはバネリング１１０形態の複数撓み性傾斜コイルバネ１００が示され、シール部品３０２、ハウジング３０４、プレート３０６を含むシールアセンブリ３００内でバネ付勢体として使用されている。このようなシールアセンブリ３００は一般に、複数撓み性傾斜コイルバネ１００が代表的には傾斜コイルバネであるところの回転あるいは静止軸シールとして用いられる。複数撓み性傾斜コイルバネ１００は、外側フランジ３１０、シールリップ３１６を有する内側フランジ３１２、外側フランジ及び内側フランジ間に位置付けた中央チャネルセクション３１４により画定されるバネ溝３０８内に位置付けられる。
【００５８】
代表的なバネ付勢型シールアセンブリは、高温等の厳しい環境条件を受けるとシール部品が縮み、それによりシール部品がハウジング及びプレート間で弛緩する問題が生じ得る。更には、従来の代表的な傾斜コイルバネはシール部品のバネキャビティ内で拘束及び保持され得ないため、シャトリングや軸方向遊びがずっと容易に発生し得る。例えば、シール部品は、縮むとハウジング内部の同一空間をもはや占有せずに浮遊し得、シャトリングあるいは軸方向遊びを生じる。しかしながら、本実施形態の複数撓み性傾斜コイルバネ１００は少なくとも２方向に撓み得ることから、シール部品３０２が例え縮んだ場合でさえ、シール部品３０２のバネキャビティあるいはバネ溝３０８内に拘束及び保持され得る。例えば、複数撓み性傾斜コイルバネ１００はプレート３０６及び中央チャネルセクション３１４に接触して偏倚し、ハウジング３０２内部の保持空間内に拘束され得る。かくして、本発明の複数撓み性傾斜コイルバネ１００を、内側フランジ、外側フランジ、中央チャネルセクションを備えるシール部品３０２の内部に位置決めすることで、シールアセンブリ３００に生じるシャトリングが低減され、複数撓み性傾斜コイルバネ１００はシール部品３０２に一貫したバネ力を提供可能となる。また、シール部品３０２は、複数撓み性傾斜コイルバネ１００と共に使用する場合は、代用的には従来の傾斜コイルバネのプレート３０６との接触を防止するために使用する内側延長フランジ３１２がもはや不要であることから、その製造がより簡易化され得る。図示されるように、複数撓み性傾斜コイルバネ１００は内外の各フランジ３１０、３１２の何れとも接触し、中央チャネルセクション３１４及びプレート３０６とも接触し得る。やはり図１１Ａに示されるように、内側フランジ３１２上のシールリップはバネキャビティ３０８内に複数撓み性傾斜コイルバネ１００を保持し、結局はハウジング３０４内にシール部品３０２を保持するべく短くされ、この簡易構造化により製造性が容易化され、且つ全体コストが削減され得る。
【００５９】
図１１Ｂには、図１１Ａのシールアセンブリと類似のシールアセンブリ３００が示されるが、本実施形態は錠止リングであり得る保持部材あるいは保持リング３２０を更に含み、保持リングは、ハウジング３０４の穿孔に接触して偏倚されてシール要素３０２をハウジング３０４の保持空間内に保持するための片持ちバネフィンガ３２２を有する。保持部材３２０は、図１１Ａのシールアセンブリで説明したそれと類似の有用性として、バネリング形態で使用する複数撓み性傾斜コイルバネ１００を拘束及び保持するために使用可能である。例えば、複数撓み性傾斜コイルバネ１００は、プレート３０６に接触するのではなくむしろ、保持部材３２０に接触し得る。そのような保持はシャトリングを低減させ得、シール部品３０２に提供するバネ力をより一貫したものとする。
【００６０】
図１１Ｃには、シール部品３０２、ハウジング３０４、明細書に記載する複数撓み性傾斜コイルバネであるバネ付勢体１００、フェースプレート３３２を含むフェースシールアセンブリ３３０が示される。フェースシールアセンブリ３３０は、フェースプレート３３２とのシームあるいは間隙３３８を通しての内側空間３３６からの漏出を防止する構成を有する。シール部品３０２は、図１１Ａのそれらと類似の、内側フランジ、外側フランジ、これら２つのフランジ間に位置付けた中央チャネルセクションを有する。図１１Ｃの複数撓み性傾斜コイルバネ１００はハウジング３０４によりシール部品３０２の内部に拘束及び保持される。図１１Ａ及び図１１Ｂに対して言及された有益性に類似して、複数撓み性傾斜コイルバネ１００がシール部品３０２内に維持される能力により、厳しい環境条件に露呈された場合にシール部品が縮むことで生じ得るシャトリングが低減される。
【００６１】
図１２Ａにはバネあるいはバネリングの何れかにおける複数撓み性傾斜コイルバネ１００のコイル１０２が端面図で示される。コイル１０２は、離間関係で相互連結する複数のコイルの１つである。複数のコイル１０２の各コイルは、４つの側部３５０、３５２、３５４、３５６及び４つの丸味付け角部を有する全体に四角形態を有する。コイルは、それに代えて、全体に矩形形態あるいはもっと広い意味の多角形態を有し得る。本明細書に記載するその他の複数撓み性傾斜コイルバネと同様に各コイル１０２は、夫々前選択傾斜角度である少なくとも２方向に傾斜し、異なる２つの力ベクトルを付加すると異なる２つの方向に沿って傾斜あるいは撓み得る。例えば、各コイル１０２は図１２Ａでコイルの上方側部３５２をページ内方に傾斜させると前選択傾斜角度ａで第１方向に沿って撓み得る。各コイル１０２は、図１２Ａでコイルの右側側部３５４をページ内方に傾斜させると前選択傾斜角度ｂで第２方向に沿っても撓み得る。かくして本発明の複数撓み性傾斜コイルバネ１００は、コイル１０２がセンターラインＣＬに全体に直交して側部３５２／３５６を通して作用し且つセンターラインＣＬに全体に直交して側部３５０／３５４を通して作用する撓み力ベクトルを受けると撓み得る。見方を変えると、図１２Ａの複数撓み性傾斜コイルバネ１００を仮にバネ溝内に配置して１表面によりリフトさせると、バネ溝と前記表面との間に画定される空間は断面に沿って四角形を有するが、しかしコイル１０２のディメンションより全体に小さく、コイルは、側部３５２を図１２Ａのページ内方に傾斜させ、側部３５４を図１２Ａのページ内方に傾斜させると撓む。コイルは相互に無関係に少なくとも２方向に撓み得る。
【００６２】
図１２Ｂには、バネあるいはバネリングの何れかにおける複数撓み性傾斜コイルバネ１００の２つのコイルが端面図で示される。各コイル１０２は、離間関係で相互連結する複数のコイルにおけるものである。複数のコイル１０２の各コイルは、４つの側部３５０、３５２、３５４、３５６及び４つの丸味付け角部を有する全体に矩形形態を有する。しかしながら、隣り合う２つのコイル１０２を見るとバネは“Ｔ”字形態を有するように見える。更に、隣り合う２つのコイルにより“Ｔ”字形態が形成されるため、本実施形態のバネは水平方向に位置決めしたコイルと、垂直に位置決めしたコイルとにより画定される２つのコイルセンターラインを有する。本実施形態では隣り合う２つのコイル１０２は相対的に回転する。例えば、第１のコイル３７０に４つの側部３５０、３５２、３５４、３５６を形成し、次のコイル３７２にも４つの側部３５０、３５２、３５４、３５６を、しかし異なる方向で形成し、第１のコイル３７０が水平方向に位置決めされた長い側部３５４を有し、次のコイル３７２が垂直に位置決めした長い側部３５０を有するように形成する。そうすると、この複数撓み性傾斜コイルバネ１００は、何れも矩形形態を有する隣り合う少なくとも２つのコイルにして、一方の矩形形態のコイルが矩形形態の他方のコイルに関して９０°回転した２つのコイルを含むものとなる。
【００６３】
図１２Ｂのバネの各コイル１０２は本明細書に記載するその他の複数撓み性傾斜コイルバネ１００と同様に傾斜するがしかし、図８Ａ〜図８Ｄのバネと類似する反復パターンでのコイルのシーケンシングに寄与し得る。例えば、第１のコイル３７０は図１２Ｂでコイルの短い側部３５２をページ内方に傾斜させることで前選択傾斜角度ａで第１方向に沿って撓み得る。複数のコイルの第２のコイル３７２もまた、図１２Ｂでコイルの上方の短い側部３５２をページ内方に傾斜させることで前選択傾斜角度ｂで第２方向に沿って撓み得る。かくして本発明の複数撓み性傾斜コイルバネ１００は、コイル１０２がセンターラインＣＬに全体に直交して側部３５２／３５６を通して作用し且つセンターラインＣＬに全体に直交して側部３５２／３５６を通して作用する撓み力ベクトルを受けると撓み得る。見方を変えると、図１２Ｂの複数撓み性傾斜コイルバネ１００を仮にバネ溝内に配置して１表面によりリフトさせると、バネ溝と前記表面との間に画定される空間は断面に沿って四角形を有するが、しかし、コイル３７０／３７２の全プロファイルディメンションより全体に小さく、コイルは側部３５２を図１２Ｂのページ内方に傾斜させると撓む。同じコイルを第１コイル３７０及び第２コイル３７２間のパターンで反復して複数撓み性傾斜コイルバネ１００を形成し得る、あるいは前記パターンは異なるシーケンス、例えば、（１）コイル３７０、３７０、３７２、３７０、３７０、３７２等、（２）コイル３７０、３７０、３７２、３７２、３７０、３７０等で有し得る。かくして図１２Ｂの複数撓み性傾斜コイルバネ１００は、異なる２つの力ベクトルを付加すると、コイルが異なる２方向に沿って傾斜あるいは撓みを生じ得るような各前選択傾斜角度で少なくとも２方向に撓み得る。コイルは相互に無関係に少なくとも２方向にも撓み得る。
【００６４】
図１２Ｄは、２つの長い側部３５０、３５４及び２つの短い側部３５２、３５６を有するバネあるいはバネリングの何れかである複数撓み性傾斜コイルバネ１００のコイル１０２の端面図である。コイル１０２は、２つの短い側部３５２、３５６が、代表的な約ピルのように湾曲される点を除き、図１２Ｂのコイル１０２と類似のものである。ある実施形態では図１２Ｄの複数撓み性傾斜コイルバネ１００のコイル１０２は、各々、図１２Ｄの内方に長い側部３５０を傾斜させると第１前選択傾斜角度ａに沿って傾斜する。複数の相互連結されたコイル１０２は、図１２Ｄのページ内方に右側の短い側部３５２を傾斜させると第２前選択傾斜角度ｂに沿って各々傾斜する。かくして本実施形態の複数撓み性傾斜コイルバネ１００は、本明細書に記載する他の複数撓み性傾斜コイルバネに類似する複数撓み性傾斜コイルバネである。図１２Ｂのコイル１０２の別態様は、湾曲あるいは弓状の短い側部３５２、３５６を有する、図１２Ｄのコイルのピル状形態を具現し得る。
【００６５】
図１２Ｃは、バネあるいはバネリングの何れかである複数撓み性傾斜コイルバネ１００のコイル１０２の端面図である。コイル１０２は、離間関係で相互連結する複数のコイルの１つである。複数のコイル１０２の各コイルは、３つの側部３８０、３８２、３８４と、丸味付けした角部３８６、３８８、３９０と、コイルセンターラインＣＬとを有する全体に矩形形態を有する。本明細書に記載するその他の複数撓み性傾斜コイルバネと同様に、各コイル１０２は異なる２つの力ベクトルを付加すると、コイルが異なる２方向に沿って傾斜あるいは撓みを生じ得るような各前選択傾斜角度で少なくとも２方向に撓み得る。１実施形態では各コイル１０２は右下方の角部３８８を図１２Ｃのページ内方に傾斜させると第１前選択角度ａに沿って撓み得る。各コイル１０２は、コイルの上方の角部３８６を図１２Ｃのページ内方に傾斜させると前選択傾斜角度ｂで第２方向に沿っても撓み得る。かくして本実施形態の複数撓み性傾斜コイルバネ１００は、コイル１０２がセンターラインＣＬに全体に直交して角部３８６及び側部３８４を通して作用し且つセンターラインＣＬに全体に直交して角部３８８及び側部３８０を通して作用する撓み力ベクトルを受けると撓み得る。見方を変えると、図１２Ａの複数撓み性傾斜コイルバネ１００をバネ溝内に配置して１表面によりリフトさせた場合、バネ溝及び表面により画定される空間はコイル１０２のディメンションより小さくなり、コイルは複数の別個の方向に沿って傾斜されると撓み得る。
【００６６】
本明細書に記載する、複数撓み性傾斜コイルバネの製造及び使用方法、コネクタアセンブリ、シールアセンブリ、及びそれらの部品は本発明の範囲内のものとする。
複数撓み性傾斜コイルバネ、コネクタアセンブリ、シールアセンブリ予備それら部品の限定実施形態を詳しく記載及び例示したが、当業者には多くの変更及び変形例は明らかであろう。例えば、種々の傾斜コイルバネ及びコネクタアセンブリは異なる金属クラッディングあるいは異なるメッキを組み込み得、異なる最終アプリケーションで使用され得る。例えば、図１０Ａ及び図１０Ｅを参照して説明したコネクタは、航空宇宙、自動車、軍事防衛、コンシューマーエレクトロニクス、オイル及びガス等の任意数の工業で使用され得る。更には、傾斜コイルバネ、コネクタアセンブリ実施形態、あるいはシールアセンブリに対して特に記載された特徴は、機能的互換性があればその他の傾斜コイルバネ、その他のコネクタアセンブリ実施形態、あるいはその他のシールアセンブリに対して適用され得るものとする。例えば、１つのコネクタを特定の溝幾何学及び特定のバネリングを有するものとして記載したが、本明細書に記載する、異なる交互パターンを持つ異なるバネリングを使用できる。従って、本発明の本発明の装置、システム及び方法の原理に従う構成を有する傾斜コイルバネ、コネクタアセンブリ、シールアセンブリ、及びそれらの部品は、特にここに記載された如きとは異なるように具現化され得る。以上、本発明を実施例を参照して説明したが、本発明の内で種々の変更をなし得ることを理解されたい。
【符号の説明】
【００６７】
４０  穿孔
７０  底壁
１００  傾斜コイルバネ／バネ付勢体
１０２  コイル
１１０  バネリング
１１２  バネ中心
１１６  外径部
１２０  接触領域
１２２  セクション
１２４  第１部分
１２６  第２部分
１５８  バネ溝
１６０  電気コネクタアセンブリ
１６２  ハウジング
１６４  ピストン／ピン
１６６  穿孔
１７０ａ  側壁
１７０ｃ  底壁
１７２  表面
１７４  挿入端
１７６  フレア状開口
１８０  端部壁
１８２  挿入端部表面
１８４  間隙
１９０  コネクタアセンブリ
１９２  ピン溝／ピストン溝
２００  同中心型コネクタアセンブリ
２０２  第１コネクタ胴部
２０４  第２コネクタ胴部
２０６  第１金属シールド
２０８  外側ハウジング
２１０  金属コア
２１２  内側ジャケット
２１４  ノーズセクション
２１５  挿入端部
２１６  端部セクション
２１８  第１の複数撓み性傾斜コイルバネ
２２０  第２の複数撓み性傾斜コイルバネ
２２６  ピン
２２８  内側ジャケット
２３０  第２金属シールド
２３２  第２外側ハウジング
２４０  穿孔
２４２  端部壁
２５０  コネクタアセンブリ
２５２  第１胴部
２５４  第２胴部
２５６  細長胴部
２６０  絶縁要素
２６０ａ  端部絶縁要素
２６２  導電性リング接点要素
２６６  環状突出部
２６８  外側表面
２７４  溝
２７６  軸方向突出部
２７８  バネ溝
２８０  中央壁
２８２  導電性側壁
２８４  底壁
３００  シールアセンブリ
３０２  シール要素
３０４  ハウジング
３０６  プレート
３１０  外側フランジ
３１２  内側フランジ／内側延長フランジ
３１４  中央チャネルセクション
３１６  シールリップ
３２０  保持部材
３２２  バネフィンガ
３３０  フェースシールアセンブリ
３３２  フェースプレート
３３６  内側空間
３３８  間隙
３５０  側部
３５２  上方側部
３５４  側部
３５６  側部
３７０  コイル
３８０  側部
３８４  側部
３８６  角部
３８８  角部
【図１Ａ】
2015180830.tif 000003
【図１Ｂ】
2015180830.tif 000004
【図２Ａ】
2015180830.tif 000005
【図２Ｂ】
2015180830.tif 000006
【図２Ｃ】
2015180830.tif 000007
【図３】
2015180830.tif 000008
【図４Ａ】
2015180830.tif 000009
【図４Ｂ】
2015180830.tif 000010
【図４Ｃ】
2015180830.tif 000011
【図５】
2015180830.tif 000012
【図６Ａ】
2015180830.tif 000013
【図６Ｂ】
2015180830.tif 000014
【図７】
2015180830.tif 000015
【図８Ａ】
2015180830.tif 000016
【図８Ｂ】
2015180830.tif 000017
【図８Ｃ】
2015180830.tif 000018
【図８Ｄ】
2015180830.tif 000019
【図９Ａ】
2015180830.tif 000020
【図９Ｂ】
2015180830.tif 000021
【図１０Ａ】
2015180830.tif 000022
【図１０Ｂ】
2015180830.tif 000023
【図１０Ｃ】
2015180830.tif 000024
【図１０Ｄ】
2015180830.tif 000025
【図１０Ｅ】
2015180830.tif 000026
【図１０Ｆ】
2015180830.tif 000027
【図１０Ｇ】
2015180830.tif 000028
【図１１Ａ】
2015180830.tif 000029
【図１１Ｂ】
2015180830.tif 000030
【図１１Ｃ】
2015180830.tif 000031
【図１２Ａ】
2015180830.tif 000032
【図１２Ｂ】
2015180830.tif 000033
【図１２Ｃ】
2015180830.tif 000034
【図１２Ｄ】
2015180830.tif 000035
【外国語明細書】
2015180830000001.pdf